(57)【要約】【課題】本発明は、酸性土壌に散布してpH調整を行う法面工事、植栽工事における有機性土壌改良剤及びこの土壌改良剤を利用した吹き付け工法を提供することを目的とする。【解決手段】本発明の法面工事、植栽工事における有機性土壌改良剤及びこの土壌改良剤を利用した吹き付け工法は、鶏糞、牛糞、豚糞等の畜糞と、廃オガ、米糠、コーヒー粕、ビール粕等の副資材と、バチルス・サブチルスに属し、アフラトキシン分解性を有するバチルス属ＤＢ９０１１菌とを重量比１００：３０：０．５〜０．６で水分率６０％前後にして混合撹拌し、発酵温度７５〜８０℃で、３０〜６０日間発酵させたものである。【選択図】図１
2009144022.tif 000002
【特許請求の範囲】
【請求項１】
鶏糞、牛糞、豚糞等の畜糞と、廃オガ、米糠、コーヒー粕、ビール粕等の副資材と、バチルス・サブチルスに属し、アフラトキシン分解性を有するバチルス属ＤＢ９０１１菌とを容積比１００：３０：０．５〜０．６で水分率６０％前後にして混合撹拌し、発酵温度７５〜８０℃で、１日１回の切り返し撹拌を行いつつ、夏期では３０〜４５日間、冬期では４５〜６０日間発酵させて形成したことを特徴とする法面工事、植栽工事における有機性土壌改良剤。
【請求項２】
バーク堆肥や伐根木チップ等の植生基盤材と上記請求項１記載の有機性土壌改良剤とを容積比１００：２０〜４０とし、さらに菌根菌や枯草菌などの土壌微生物を前記植生基盤材１リットルに対し１０ｇとし、高度化成肥料と、侵食防止剤及び種子とを混練して調整し、この混練物を斜面に吹き付けることを特徴とした有機性土壌改良剤を利用した吹き付け工法。
【発明の詳細な説明】
【技術分野】
【０００１】
本発明は、酸性土壌に散布してpH調整を行う法面工事、植栽工事における有機性土壌改良剤及びこの土壌改良剤を利用した吹き付け工法に関する。
【背景技術】
【０００２】
従来、日本海側の秋田県沿岸部の土壌は、酸性が強く、pH的には、３．０以下の所もあり、通常の植生方法では生育が期待できなく、法面植生及び植栽工事に苦慮しているのが現状である。
そこで、強酸性土壌の植生方法として、アルカリ性資材の投入の他、客土をもって緑化を実施したり、また酸性に強い適用植物（例：クリーピングレッドフェスク、チモシー、バミューダグラス、在来草木類ではイタドリ、ススキ、ヨモギ、メドハギ、本木類ではマツ類、リョーブ、ヤシャブシ、コナラ、ヤマハンノキなど）を選定したりしている。
しかし、上記植生方法は、植生工事のコスト及び管理の面から色々な不都合を生じている。
そこで、真菌発育抑制剤、発酵促進剤、家畜肥育剤に利用される微生物（特許文献２を参照）を利用して、強酸性土壌に有効な有機性土壌改良剤を開発した。
なお、バチルス属の微生物を土壌の改良に利用することのそれ自体は、知られている（特許文献１、３を参照）
【特許文献１】特開２００２−１２１５５３号公報
【特許文献２】特開平５−１４６２８９号公報
【特許文献３】再公表特許ＷＯ００／４２１６９
【発明の開示】
【発明が解決しようとする課題】
【０００３】
本発明は、酸性土壌に散布してpH調整を行う法面工事、植栽工事における有機性土壌改良剤及びこの土壌改良剤を利用した吹き付け工法を提供することを目的とする。
【課題を解決するための手段】
【０００４】
本発明の法面工事、植栽工事における有機性土壌改良剤は、鶏糞、牛糞、豚糞等の畜糞と、廃オガ、米糠、コーヒー粕、ビール粕等の副資材と、バチルス・サブチルスに属し、アフラトキシン分解性を有するバチルス属ＤＢ９０１１菌とを容積比１００：３０：０．５〜０．６で水分率６０％前後にして混合撹拌し、発酵温度７５〜８０℃で、１日１回の切り返し撹拌を行いつつ、夏期では３０〜４５日間、冬期では４５〜６０日間発酵させて形成したものである。
また、本発明の有機性土壌改良剤を利用した吹き付け工法は、バーク堆肥や伐根木チップ等の植生基盤材と上記請求項１記載の有機性土壌改良剤とを容積比１００：２０〜４０とし、さらに菌根菌や枯草菌などの土壌微生物を前記植生基盤材１リットルに対し１０ｇとし、さらに高度化成肥料と、侵食防止剤及び種子とを混練して調整し、この混練物を斜面に吹き付けるものである。
【発明の効果】
【０００５】
本発明の法面工事、植栽工事における有機性土壌改良剤は、バチルス属ＤＢ９０１１菌が土壌のpH調整を行うと共に、土壌のコロイド化を促進させ、通気性、保水性を高め活着、植栽の根張りが良くなる。
また、本発明の法面工事、植栽工事における有機性土壌改良剤は、バチルス属ＤＢ９０１１菌が投入されることにより悪臭（アンモニア、アミン）の防止、発酵温度を７５〜８０℃にすることにより、雑菌類、雑草種子を死滅させることができる。
さらに、本発明の法面工事、植栽工事における有機性土壌改良剤は、バチルス属ＤＢ９０１１菌が病害菌（悪玉微生物）を抑制し、農作物の連作障害の軽減に大きな効果を発揮する。
また、本発明の法面工事、植栽工事における有機性土壌改良剤は、有機物をバチルス属ＤＢ９０１１菌で完全発酵させた肥料となり、弱アルカリ（pH８．０〜８．３）を示すし、又、二次発酵の心配がない。
【発明を実施するための最良の形態】
【０００６】
本発明の法面工事、植栽工事における有機性土壌改良剤の一実施例を以下に説明する。
本発明の法面工事、植栽工事における有機性土壌改良剤は、鶏糞、牛糞、豚糞等の畜糞と、廃オガ、米糠、コーヒー粕、ビール粕等の副資材と、バチルス属ＤＢ９０１１菌（菌数１０6〜１０7/g）とを適宜容積比率で混合撹拌し、発酵温度７５〜８０℃で、３０〜６０日間発酵させたものである。
【０００７】
前記バチルス属ＤＢ９０１１菌は、バチルス・サブチルスに属し、アフラトキシン分解性を有する微生物であって、真菌発育抑制剤、発酵促進剤、家畜肥育剤に利用される微生物である。
【０００８】
本発明の法面工事、植栽工事における有機性土壌改良剤を製造するためには、堆積切り返し方法やハーズマン方式等があるが、ここでは、例えば幅３ｍ×高さ２ｍ×長さ８０ｍの発酵設備をもつ連続撹拌発酵方式（スクープ方式）により、鶏糞、牛糞、豚糞等の畜糞１００ｔと、廃オガ、米糠、コーヒー粕、ビール粕等の副資材３０ｔと、バチルス属ＤＢ９０１１菌５００〜６００ｋgとを水分率６０％前後にして混合撹拌する。
１日１回の撹拌（切り返し）を行いつつ、発酵温度７５〜８０℃で発酵させ、夏期では３０〜４５日間、冬期では４５〜６０日間で法面工事、植栽工事における有機性土壌改良剤が生成される。
【０００９】
このようにして生成された法面工事、植栽工事における有機性土壌改良剤は、全窒素１．５２％、リン酸６．６０％、カリ２．４２％の肥料成分となり、バチルス属ＤＢ９０１１菌数１０4／g以上含まれるバチルス属ＤＢ９０１１菌の作用によりpH８．１に維持される。
そして、法面工事、植栽工事における有機性土壌改良剤に含まれているバチルス属ＤＢ９０１１菌が、土壌のpH調整を行うと共に、土壌のコロイド化を促進させ、通気性、保水性を高め、活着、根張りが良くなる。
【００１０】
（試験例１）
高速道路秋田道において、pH２．６〜３．９９の強酸性土壌の秋田中央I・C、秋田南I・C、太平山ＰＡの植生工事では、図１に示すように現地盤を掘削し、掘削後に埋設した山砂、珪藻土焼成粒、炭酸カルシウム、ゼオライトを混合撹拌した基盤材からなる第１回改良区１に、本発明の法面工事、植栽工事における有機性土壌改良剤を前記第１回改良区１の上層に充填した第２回改良区２とし、そこに高木を植生した。
その結果、土壌のpHが改善され、従来の植生の枯死率１０〜２０％であったものが、今回の植生の枯死率は、１／８００本となった。
【００１１】
（試験例２）
明光沢地区において１００ｍ２当り、植生基盤材１，５６０リットルに有機性土壌改良剤５２０リットル、さらに土壌微生物１３ｋｇとし、侵食防止材８ｋｇ、高度化成肥料１２ｋｇ、種子（トールフエス０．７７ｋｇ、クリーピングフエスク０．１７ｋｇ、オーチャードグラス０．２６ｋｇ、ヨモギ０．０３ｋｇ、メドハキ０．１２ｋｇ）を混練して、この混練物を斜面に厚さｔ＝２ｃｍで吹き付けを行った。
その結果、斜面を緑化させることができた。
【図面の簡単な説明】
【００１２】
【図１】本発明の法面工事、植栽工事における有機性土壌改良剤の試験例１の説明図である。
【符号の説明】
【００１３】
１  第１回改良区
２  第２回改良区
【図１】
2009144022.tif 000003